(57)【要約】【課題】利用者にチャンネルを選択させるチャンネルプリセット型デジタル放送受信装置において、チャンネル切替え後の番組特定情報抽出に要する時間を短縮し、利用者への番組提示を高速化する。【解決手段】番組映像・音声データと、番組を一意に決定する第１の特定情報とを関連付けて保存する手段と、電子番組表から番組を一意に決定する第２の特定情報を抽出する手段と前記第１の特定情報と前記第２の特定情報とを比較する手段を有し、前記比較した結果が一致すれば前記番組映像・音声データを現在放送中のデータと判定し、相違すれば、現在放送中のデータでないと判定する【選択図】図１
2008187353.tif 000002
【特許請求の範囲】
【請求項１】
１つの伝送チャンネルで複数の番組を多重化して伝送する多重化信号を受信するデジタル放送受信装置であって、    
番組映像・音声データを指定する情報と、番組を一意に決定する第１の特定情報とを関連付けて保存する手段と、    
電子番組表から番組を一意に決定する第２の特定情報を抽出する手段と  
前記第１の特定情報と前記第２の特定情報とを比較する手段を有し  
前記比較した結果が一致すれば  
前記番組映像・音声データを現在放送中のデータと判定し  
相違すれば、現在放送中のデータでないと判定することを特徴とするデジタル放送受信装置  
【請求項２】
１つの伝送チャンネルで複数の番組を多重化して伝送する多重化信号を受信するデジタル放送受信装置であって、
電子番組表から番組が切り替わる時刻情報をチャンネルごとに検出し、前記チャンネルと関連付けて保存する手段と
待機中のチューナを検出する検出手段を有し、
前記検出手段により検出した前記待機中のチューナを、所定のタイミングにて、
番組を一意に決定する第１の特定情報を含む番組特定情報を取得する為のチューナに割り当てる手段を有することを特徴とする
デジタル放送受信装置    
【請求項３】
請求項２において、
前記チューナが番組を一意に決定する第１の特定情報を含む番組特定情報を取得し、それらを関連付けて保存したことを検出する手段と  
前記検出後に、待機中のチューナを別のチャンネルに切り替える手段を
有することを特徴とするデジタル放送受信装置
【請求項４】
請求項２において、外部からのチューナ操作入力があれば、  
待機中のチャンネルを
番組を一意に決定する第１の特定情報を含む番組特定情報を取得する為のチューナに割り当てる処理を中断することを特徴とするデジタル放送受信装置
【請求項５】
請求項２において
前記チューナが番組を一意に決定する第１の特定情報を含む番組特定情報を取得するタイミングは、
番組開始時刻を経過した近傍であることを特徴とするデジタル放送受信装置
【請求項６】
請求項２において
前記待機中のチューナを検出するタイミングは番組開始時刻の近傍であることを特徴とするデジタル放送受信装置
【請求項７】
ネットワークに接続された複数のデジタル放送受信装置において、
ネットワークに接続するためのネットワークインターフェース手段を有し、
内蔵されるチューナ数が放送される全チャンネル数と同数のチューナを有する前記デジタル放送受信装置を少なくとも１台以上を有し、
該デジタル放送受信装置は、放送にて提供される全部のチャンネルの前記第１の特定情報と番組を一意に決定する特定情報を取得し関連付けて保存する手段と、
前記保存した情報を所定のタイミングにてネットワークに接続された他のデジタル放送受信装置へ送信する手段を有することを特徴とするデジタル放送受信システム
【請求項８】
ネットワークに接続された複数のデジタル放送受信装置において、
ネットワークに接続するためのネットワークインターフェース手段を有し、
ネットワークに接続される複数の放送受信装置に内蔵するチューナ数のどれもが、放送される全チューナ数に満たない場合に、放送される全チャンネルを前記放送受信装置に内蔵するチューナにて分担させてチャンネルごとの番組特定情報を受信させる手段を有し、
前記分担して受信した各デジタル放送受信装置からの放送される全チャンネル数の番組特定情報を受信し、
所定のタイミングにおいて、前記受信した全チャンネルの番組特定情報を前記ネットワークに接続された他のデジタル放送受信装置へ送信する手段を有することを特徴とするデジタル放送受信システム
【請求項９】
１つの伝送チャンネルで複数の番組を多重化して伝送する多重化信号を受信するデジタル放送受信方法であって、
番組映像・音声データと、番組を一意に決定する第１の特定情報とを関連付けて保存するステップと、
電子番組表から番組を一意に決定する第２の特定情報を抽出するステップと
前記第１の特定情報と前記第２の特定情報とを比較するステップを有し
前記比較した結果が一致すれば
前記番組映像・音声データを現在放送中のデータと判定し
相違すれば、現在放送中のデータでないと判定する
ことを特徴とするデジタル放送受信方法
【請求項１０】
１つの伝送チャンネルで複数の番組を多重化して伝送する多重化信号を受信するデジタル放送受信装置のコンピュータに実行させるプログラムであって、
番組映像・音声データと、番組を一意に決定する第１の特定情報とを関連付けて保存するステップと、
電子番組表から番組を一意に決定する第２の特定情報を抽出するステップと
前記第１の特定情報と前記第２の特定情報とを比較するステップを有し
前記比較した結果が一致すれば
前記番組映像・音声データを現在放送中のデータと判定し
相違すれば、現在放送中のデータでないと判定する
ことを特徴とするデジタル放送受信プログラム
【発明の詳細な説明】
【技術分野】
【０００１】
本発明は、デジタル放送受信装置、デジタル放送受信方法およびデジタル放送受信プログラムに関し、より具体的にはデジタル放送の受信チャンネル切替え時により快適な操作性を提供するデジタル放送受信装置およびデジタル放送受信方法およびデジタル放送受信プログラムに関する。    
【背景技術】
【０００２】
地上デジタル放送を受信するデジタル放送受信装置は、放送局が伝送する放送信号を所定の周波数で送信する親局や親局からの受信電波を増幅し再送信する中継局からの放送波をアンテナにより受信する。  そして、デジタル放送受信装置は、受信した放送波を復調・多重分離・復号して放送局の送信する番組を利用者に提示する。  したがって、利用者は、所望の番組を視聴するには、放送局に割り当てられた周波数（以下、チャンネルと称す）を指定しなければならない。  そこで、一般的には、利用者の操作を簡略化するため、受信可能チャンネルのリスト（以下、チャンネルリストと称す）を予め不揮発メモリに格納しておき、チャンネルリストから１つのチャンネルを選択することによって所望の放送局を受信できるようにしている。
【０００３】
ところで、地上デジタル放送では、全ての映像・音声データがＭＰＥＧ２−ＴＳ形式で送られる。ＭＰＥＧ２−ＴＳ形式では、映像・音声、データ放送をＴＳパケットと呼ばれるパケットに分割する。そして、これらのＴＳパケットが複数個集まって、トランスポートストリーム（以下、ＴＳと称す）を構成する。  このＴＳが、放送波として放送局から送信されるものである。上記の各ＴＳパケットには、各ＴＳパケットの種類（後述するＰＡＴやＰＭＴやＥＳ等）を識別できるように、ＰＩＤ（パケットＩＤ）と呼ばれる番号が振られる。  そして、ある番組を構成する符号化された映像・音声データ（以下、ＥＳ：エレメンタリーストリームと称す）には、それぞれ同じ番号のＰＩＤが付される。  また、ＴＳは最大３つの番組を同時に伝送できるため、ＴＳに含まれている番組と、その番組を構成するＥＳとの関係を表す番組特定情報が規定されている。  この番組特定情報は、ＰＡＴ（Ｐｒｏｇｒａｍ  Ａｓｓｏｃｉａｔｉｏｎ  Ｔａｂｌｅ）やＰＭＴ（Ｐｒｏｇｒａｍ  Ｍａｐ  Ｔａｂｌｅ）と呼ばれる（例えば、非特許文献１）。  図６は、ＰＡＴ、ＰＭＴおよびＥＳの関連を模式的に示す図である。  番組一覧情報であるＰＡＴ１１０には、現在放送されているチャンネルにおける複数のＰＭＴ情報が含まれている。  ＰＡＴ１１０には、各番組毎に対応する番組識別情報１２０が含まれている。    当該番組番号１２１と、各ＰＭＴのＰＩＤとは一意になるように予め対応付けられている。  番組番号１２１の値が０である番組識別情報１２０は、ＰＩＤが０であるＰＭＴ（以下、ＰＭＴ０と称す）と対応付けられている。  そして、各ＰＭＴには、それぞれの番組を構成するＥＳのＰＩＤが含まれている。  つまり、特定のＥＳを取得するためには、先にＰＭＴを取得する必要がある。
【０００４】
例えば番組番号の一番小さいもの（図６では、番組番号０）を視聴番組として選択すると、デジタル放送受信装置は、番組番号に対応するＰＭＴ（図６ではＰＭＴ０）をＴＳから抽出するための設定を行い、当該ＰＭＴの抽出を開始する。  デジタル放送受信装置は、ＰＭＴが抽出できたか否かを判断し、ＰＭＴの抽出が完了した場合、ＰＭＴに含まれるＥＳのＰＩＤを取得する。  そして、デジタル放送受信装置は、当該ＥＳのＰＩＤを持つＴＳパケットの抽出設定を行う。    以上で、選局動作が完了する。
【０００５】
又、番組特定情報にはＥＩＴ（Ｅｖｅｎｔ  Ｉｎｆｏｒｍａｔｉｏｎ  Ｔａｂｌｅ）や、ＥＩＴに含まれ、番組固有の識別番号であるイベントＩＤ等がある（例えば、非特許文献２）。
【０００６】
【非特許文献１】「改訂版デジタル放送教科書（上）」、株式会社インプレス、２００４年１０月１１日、Ｐ.９２−１０１
【非特許文献２】「第４編  地上デジタルテレビジョン放送  放送運用規定」、地上デジタルテレビジョン放送運用規程技術資料  第二分冊、第２．１版、社団法人電波産業会、平成１６年９月、Ｐ．４-２４−２７
【特許文献１】特開２００３−１１０９５４号公報
【発明の開示】
【発明が解決しようとする課題】
【０００７】
しかしながら、上述したようなデジタル放送受信装置において所定のチャンネルを選局して受信しようとする場合、以下に示す問題点があった。  まず、地上デジタル放送はあるチャンネルで受信できる番組特定情報（ＰＡＴやＰＭＴ）には現在選択されているチャンネルに関する情報しか含まれていない。  したがって、他のチャンネルに切替えた場合には、新たに切替え先チャンネルの番組特定情報をＴＳから抽出する必要がある。  一方、番組特定情報は一定周期で送出されるため、抽出するのに最大で周期時間分の時間を要する。  そのため、チャンネルを切替えるタイミングによっては、チャンネル切替え後から番組提示までの遅延が顕著となることがある。
【０００８】
上述のように、ＰＡＴやＰＭＴなどの番組特定情報は、それぞれ所定の周期時間で再送されている。そのため、例えば、ある時刻にチャンネル切替えが完了した場合に、ＰＡＴの送出が完了した直後であれば、ＰＭＴを抽出し番組を提示するためには、次のＰＡＴ送出の時刻まで待つ必要がある。  そして、次の時刻にＰＡＴを抽出しても、番組番号０番の番組を視聴するためには、ＰＭＴ０を抽出する必要がある。  そのため、更にＰＭＴ０が送出される時刻まで待つことになる。  すなわち、チャンネルを切替えても、一定時間は画面に何も表示されないという問題点がある。
【０００９】
上記問題点を回避するため、チャンネル毎の番組特定情報を不揮発メモリに保持しておき、チャンネル切替え直後は過去の番組特定情報を利用して選局完了までの時間を短縮することも考えられる。  しかしながら、過去にあるチャンネルで送出されていた番組特定情報が、現在においても有効な情報であるとは限らない。  具体的には、過去にあるチャンネルで番組を受信していたとしても、ザッピング等のチャネル切り替え操作をしてから、再度もと視聴していたチャネルにもどってくるまでに時間が経過し、戻ってきたときには別の異なる番組が放送されている場合がある。  このときには既に不揮発メモリに保持している情報は有効ではない。  その結果、チャンネルの切替えが正常に行われないという問題がある。
【００１０】
例えば、特開２００３−１１０９５４において従来行われていた、選択したチャンネルにおいて取得されるＰＭＴデータをＰＭＴ専用メモリバッファに保存しておき、リモコンによる操作等により別のチャンネルに変更して視聴した後に再度もとの選択したチャンネルに移動して視聴をする場合において、時間が経過した為に、もと視聴していた番組から別の番組が開始されている場合にはＰＭＴ専用メモリバッファに保存されているＰＭＴデータでは該当する番組が抽出できず、それが判明してから再度現在放送されている番組を特定する情報であるＰＭＴを検出してから、ＰＭＴを解析してＥＳを抽出するために、最初からＰＭＴを抽出するよりも時間がかかっていた。
【００１１】
それ故に、本発明の目的は、利用者にチャンネルを選択させるチャンネルプリセット型デジタル放送受信装置において、チャンネル切替え後の番組特定情報抽出に要する時間を短縮し、利用者への番組提示を高速化する受信装置、受信方法および受信プログラムを提供することである。
【課題を解決するための手段】
【００１２】
上記目的を達成するために、本発明は以下のような構成を採用した。
【００１３】
第１の発明は、１つの伝送チャンネルで複数の番組を多重化して伝送する多重化信号を受信するデジタル放送受信装置であって、番組映像・音声データを指定する情報と、番組を一意に決定する第１の特定情報とを関連付けて保存する手段と、電子番組表から番組を一意に決定する第２の特定情報を抽出する手段と、前記第１の特定情報と前記第２の特定情報とを比較する手段を有し、前記比較した結果が一致すれば、前記番組映像・音声データを現在放送中のデータと判定し、相違すれば、現在放送中のデータでないと判定することを特徴とするデジタル放送受信装置である。
【００１４】
第２の発明は、１つの伝送チャンネルで複数の番組を多重化して伝送する多重化信号を受信するデジタル放送受信装置であって、電子番組表から番組が切り替わる時刻情報をチャンネルごとに検出し、前記チャンネルと関連付けて保存する手段と待機中のチューナを検出する検出手段を有し、前記検出手段により検出した前記待機中のチューナを、所定のタイミングにて、番組を一意に決定する第１の特定情報を含む番組特定情報を取得する為のチューナに割り当てる手段を有することを特徴とするデジタル放送受信装置である。
【００１５】
第３の発明は、第２の発明において、前記チューナが番組を一意に決定する第１の特定情報を含む番組特定情報を取得し、それらを関連付けて保存したことを検出する手段と、前記検出後に、待機中のチューナを別のチャンネルに切り替える手段を有することを特徴とするデジタル放送受信装置である。
【００１６】
第４の発明は、第２の発明において、外部からのチューナ操作入力があれば、待機中のチャンネルを番組を一意に決定する第１の特定情報を含む番組特定情報を取得する為のチューナに割り当てる処理を中断することを特徴とするデジタル放送受信装置である。
【００１７】
第５の発明は、第２の発明において、前記チューナが番組を一意に決定する第１の特定情報を含む番組特定情報を取得するタイミングは、番組開始時刻を経過した近傍であることを特徴とするデジタル放送受信装置である。
【００１８】
第６の発明は、第２の発明において、前記待機中のチューナを検出するタイミングは番組開始時刻の近傍であることを特徴とするデジタル放送受信装置である。
【００１９】
第７の発明は、ネットワークに接続された複数のデジタル放送受信装置において、ネットワークに接続するためのネットワークインターフェース手段を有し、内蔵されるチューナ数が放送される全チャンネル数と同数のチューナを有する前記デジタル放送受信装置を少なくとも１台以上を有し、該デジタル放送受信装置は、放送にて提供される全部のチャンネルの前記第１の特定情報と番組を一意に決定する特定情報を取得し関連付けて保存する手段と、  前記保存した情報を所定のタイミングにてネットワークに接続された他のデジタル放送受信装置へ送信する手段を有することを特徴とするデジタル放送受信システムである。
【００２０】
第８の発明は、ネットワークに接続された複数のデジタル放送受信装置において、ネットワークに接続するためのネットワークインターフェース手段を有し、ネットワークに接続される複数の放送受信装置に内蔵するチューナ数のどれもが、放送される全チューナ数に満たない場合に、放送される全チャンネルを前記放送受信装置に内蔵するチューナにて分担させてチャンネルごとの番組特定情報を受信させる手段を有し、前記分担して受信した各デジタル放送受信装置からの放送される全チャンネル数の番組特定情報を受信し、所定のタイミングにおいて、前記受信した全チャンネルの番組特定情報を前記ネットワークに接続された他のデジタル放送受信装置へ送信する手段を有することを特徴とするデジタル放送受信システムである。
【００２１】
第９の発明は、１つの伝送チャンネルで複数の番組を多重化して伝送する多重化信号を受信するデジタル放送受信方法であって、番組映像・音声データと、番組を一意に決定する第１の特定情報とを関連付けて保存するステップと、電子番組表から番組を一意に決定する第２の特定情報を抽出するステップと前記第１の特定情報と前記第２の特定情報とを比較するステップを有し、前記比較した結果が一致すれば前記番組映像・音声データを現在放送中のデータと判定し、相違すれば、現在放送中のデータでないと判定することを特徴とするデジタル放送受信方法である。
【００２２】
第１０の発明は、１つの伝送チャンネルで複数の番組を多重化して伝送する多重化信号を受信するデジタル放送受信装置のコンピュータに実行させるプログラムであって、番組映像・音声データと、番組を一意に決定する第１の特定情報とを関連付けて保存するステップと、電子番組表から番組を一意に決定する第２の特定情報を抽出するステップと前記第１の特定情報と前記第２の特定情報とを比較するステップを有し、前記比較した結果が一致すれば、前記番組映像・音声データを現在放送中のデータと判定し、相違すれば、現在放送中のデータでないと判定することを特徴とするデジタル放送受信プログラムである。
【発明の効果】
【００２３】
以上のように本発明によれば、チャンネル切り替え後の番組提示にかかる時間をより短縮することのできるデジタル放送受信装置、デジタル放送受信方法、デジタル放送受信システムおよびデジタル放送受信プログラムを提供することができる。
【発明を実施するための最良の形態】
【００２４】
図１は、本発明の第１の実施形態に係るデジタル放送受信装置を示すブロック図である。図１において、受信アンテナ１は、地上デジタル放送の放送局からＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘ）方式で送信される放送電波を受信し、チューナ部２へ出力する。チューナ部２は、放送局ごとに割り当てられた所定の周波数に同調することで所定の放送局を選局し、受信アンテナ１を介して受信した放送電波を復調部３へ出力する。復調部３は、受信した放送電波をトランスポートストリーム（以下、ＴＳと称す）に復調する。多重分離部４は、復調されたＴＳから、圧縮映像データである映像エレメンタリーストリーム（以下、映像ＥＳ）と圧縮音声データである音声エレメンタリーストリーム（以下、音声ＥＳ）を分離し、復号部５へ出力する。また、多重分離部４は、番組特定情報をＴＳから分離し、制御部１０へ出力する。復号部５は、映像ＥＳおよび音声ＥＳを原映像データおよび原音声データへの復号を行う。復号された原映像データや原音声データは出力部６にて利用者に提示される。  具体的には、映像はディスプレイ等に表示され、音声はスピーカー等から出力される。  制御部１０は、リモコン等の入力部９からチャンネル番号を取得し、チューナ部２に設定する。また、制御部１０は、多重分離部４から出力される番組特定情報を解析し、多重分離部４が行う上記各ＥＳの抽出設定を行う。  さらに、番組表管理部７は所定のタイミングにおいて受信アンテナ１からチューナ部２により受信した各チャンネル毎に放送局から提供される電子番組表を番組表保存部８に保存する。  図７のデータ構造を有する電子番組表より各チャンネル毎に番組の更新される時刻情報を抽出して番組表保存部８に保存してもよい。  番組特定情報は番組情報管理部１２にて解析され、関連する情報は関連付けて番組情報保存部１３に保存される。  さらに制御部１０では、番組表保存部８より抽出した番組特定情報と、番組特定情報保存部１３から抽出した番組特定情報が比較され、一致すれば、一致した番組特定情報より多重分離部４から該当する映像ＥＳと音声ＥＳが指定され、復調部５にて復号され番組の映像と音声が出力部６にて表示される。
【００２５】
次に図２における、チューナによる番組特定情報の取得制御について説明する。まず、ユーザのザッピング視聴形態において説明する。  例えば、時刻８０から時刻８１までの期間には、電子番組表によるとチャンネルＡでは番組Ａ１が、チャンネルＢにては番組Ｂ１が、チャンネルＸにおいては番組Ｘ１が放送予定である。  本発明のデジタル放送受信装置に１つのチューナ８４を内蔵しており、ユーザが時刻８０近辺でチャンネルＡを選局し、しばらくの時間視聴を続けた後にザッピング視聴を行い、チャンネルＢから他のチャンネルを経てチャンネルＡに戻って視聴をしたとする。
【００２６】
まず、時刻８０以降にユーザがチューナ８４をチャンネルＡに設定して所定の時間を経過して、その間に図１の番組特定情報管理部１２にて番組Ａ１の番組特定情報が取得され番組特定情報保存部１３に保存される。  ユーザがザッピング視聴を行って、再びチャンネルＡを視聴したときには、既に番組Ａ１の番組特定情報が番組特定情報保存部１３に保存されている為、その番組特定情報を用いて番組Ａ１のＥＳを取得して番組視聴が可能となる。
【００２７】
次に、デジタル放送受信装置本体の電源が入った状態で内蔵するチューナがユーザの視聴や録画等に使われていない状態のチューナ（待機チューナと呼ぶ）により番組特定情報を取得し保存する形態について説明する。
【００２８】
例えば、時刻８１から時刻８２までの期間には、電子番組表によるとチャンネルＡでは番組Ａ２が、チャンネルＢにては番組Ｂ２が、チャンネルＸにおいては番組Ｘ２が放送予定である。  時刻８１近辺においては、ユーザのチャンネル利用はないので、本デジタル受信装置に内蔵されるチューナは待機チューナとなっている。時刻８１からは番組Ａ２、Ｂ２、・・・・・Ｘ２の新たな番組が開始されるので、番組特定情報は更新されて放送される。時刻８１において待機チューナ８４は所定の順番で（例えばチャンネルＡからチャンネルＸ）チャンネルＡに割り付けられ、その番組の番組特定情報が取得されれば、次のチャンネルに切り替わり設定され、順番に番組ごとの番組特定情報が取得され図１の番組特定情報１３に保存される。そして、時刻８２の近辺になってユーザがチューナ８４をチャンネルＡに選局すると、既に時刻８１にて待機チューナの状態のときに取得し保存されている番組Ａ２の番組特定情報を用いて番組Ａ２のＥＳを取得して番組視聴が可能となる。
【００２９】
次に、番組の切り替わり時刻にユーザ等によるチューナ利用があった場合の番組特定情報を取得し保存する形態について説明する。  例えば、時刻８２から時刻８５までの期間には、電子番組表によるとチャンネルＡでは番組Ａ３、チャンネルＢにては番組Ｂ３が、そしてチャンネルＸにおいては番組Ｘ３が放送予定である。  時刻８２近辺においては、ユーザによりチューナ８４がチャンネルＡに選局されているので待機チューナ制御は中止され、ユーザによる選局操作が優先される。  ユーザによるチューナ８４がチャンネルＡに設定されて所定の時間を経過すると、その間に図１の番組特定情報管理部１２にて番組Ａ１の番組特定情報が取得され番組特定情報保存部１３に保存される。  ユーザのチューナ８４の選局による視聴が時刻８３に終われば、チューナは待機チューナになるので、すでに番組特定情報を取得し保存済みのチャンネルＡの次のチャンネルであるチャンネルＢから所定の順序で順々にチャンネルＸまでの番組特定情報が保存される。
【００３０】
尚、電子番組表から番組切り替わり時刻を抽出する処理を述べる。図７の番組表データ構造において番組ごとに放送開始日時が格納されているので、サービスＩＤ毎に番組開始時刻を抽出すればよい。
【００３１】
次に図３により、受信装置が行う受信処理の詳細動作を説明する。本発明のデジタル受信装置により、図１の番組特定情報保存部１３に番組特定情報が保存された場合において、その保存された番組特定情報が、現在放送されている番組の番組特定情報として利用できるかを判定するフローについて説明する。
【００３２】
まず、ユーザによるチューナの選局操作により、チューナがあるチャンネルに選局された場合（ステップ１）に、そのチャンネルにおけるサービスＩＤが図２の番組情報保存部１３に存在するかを確認する（ステップ２）。  サービスＩＤが存在すれば、現在時刻を装置本体のシステムクロック等により取得する。（ステップ３）  次に図１の番組表保存部８より前記チャンネルのサービスＩＤと現在の時刻に該当するイベントＩＤを取得する。（ステップ４）  そして、図１の番組情報保存部１３より前記サービスＩＤと関連付けて保存されているイベントＩＤを取得する。（ステップ５）  ステップ４とステップ５により取得されたイベントＩＤとを比較し（ステップ６）、一致すれば、一致したそのイベントＩＤと関連付けて保存されているＰＭＴから現在の放送信号より映像ＥＳおよび音声ＥＳを受信する。（ステップ８，９）  イベントＩＤが一致しても番組が延長されていたり、放送予定にない特別番組が放送されている等の理由により映像・音声のＰＩＤが放送番組中に存在しない場合および、イベントＩＤが一致しない場合は、ステップ１０からステップ１４までの処理により現在の放送信号から番組特定情報であるサービスＩＤ、ＰＭＴ、イベントＩＤを受信し抽出して図１の番組情報保存部１３に保存する。
【００３３】
次に図４においては、待機チューナの制御方法について説明する。放送される番組が切り替わる時刻以前の近傍で、待機チューナの検出（ステップ２２）が行われる。放送される番組が切り替われば、番組特定情報も切り替わった番組に応じた新たな情報が送信されるので、待機チューナによる番組特定情報の抽出は、待機チューナにより、ユーザにて使用されていないチャンネルを設定されてから開始される。  ユーザや番組予約等によって、チューナがあるチャンネルに設定されて使用状態に置かれていれば、使用されているチャンネル以外が待機チャンネルに割り当てられる。  待機チャンネルによる番組特定情報の取得は図３のサブルーチン部（ＳＵＢ）にて行われる（ステップ２４）。
【００３４】
このようにして、待機チューナにチャンネル毎に番組特定情報が取得されて図１の番組特定情報保存部１３に保存される処理が、放送される番組が切り替わる時刻以後の近傍で、切り替わった番組に応じた番組特定情報に更新されるように繰り返される（ステップ２６）。待機チューナへのチャンネルの設定は、待機チューナが複数あれば同時に異なるチャンネルが割り付けられ、番組が切り替えられるまでは同じチャンネルが割り付けられることはない。
【００３５】
第２の実施形態では、ネットワークにおいて本発明のデジタル放送受信装置が複数接続されている利用について説明する。
【００３６】
図５におけるネットワーク７０に、本発明のデジタル放送受信装置が複数接続される場合において、各々のデジタル放送受信装置に内蔵されるチューナ数にばらつきがあり、かつ内蔵されるチューナ数がどれも放送される全チャンネル数に届かない場合であれば、各々のデジタル放送受信装置により分担して放送される全チャンネルの番組特定情報の取得を行う。  例えば、デジタル放送受信装置５０によりネットワークに接続されたデジタル放送受信装置５１〜５４の各デジタル放送受信装置が分担する放送されるチャンネルを通知する。  放送される全チャンネルがＡ〜Ｘまであるとすると、デジタル放送受信装置５０ではＡ〜Ｅを分担し、デジタル放送受信装置５１ではＦ〜Ｈを分担し、デジタル放送受信装置５２ではＩを分担し、デジタル放送受信装置５３ではＪを分担し、デジタル放送受信装置５４ではＫ，Ｌを分担する。  まず、分担したデジタル放送受信装置においてこれらのチャンネルの番組特定情報を取得すると共に取得が完了したチューナから、分担できなかった残りのチャンネルであるＭ〜Ｘまでの番組特定情報を取得する。  もし順番に取得が完了するとすれば、デジタル放送受信装置５０ではＭ〜Ｑを取得し、デジタル放送受信装置５１ではＲ〜Ｔを取得し、デジタル放送受信装置５２ではＵを取得し、デジタル放送受信装置５３ではＶを取得し、デジタル放送受信装置５４ではＷ，Ｘを取得することになる。  その後に、例えばデジタル放送受信装置５０にてこれらの取得したＡ〜Ｘまでのチャンネルの番組特定情報を収集して、これを所定のタイミングにより他のデジタル放送受信装置５１〜５４へ送信し受信了する。これにより、ネットワークに接続される複数のデジタル放送受信装置の各々に内蔵するチューナ数がばらつくことによる番組特定情報の取得能力のばらつきをなくしたシステムを構築することが可能である。
【００３７】
他の実施例として、例えば、ネットワーク７０に接続される複数のデジタル放送受信装置のうちで、内蔵するチューナ数が放送される全チャンネル数と同じデジタル放送受信装置を配置させ、放送される全チャンネルの番組特定情報が番組開始時刻の近傍で取得された後に、所定のタイミングにてネットワークに接続された他のデジタル放送受信装置に向けて送信される。  これにより他のデジタル放送受信装置は内蔵するチューナで番組特定情報を取得する必要がなく、さらに全チャンネルの番組特定情報を受信することにより、前記内蔵するチューナ数が放送される全チャンネル数と同じデジタル放送受信装置と同様に、どのチャンネルを受信しても、チャンネル切り替え後の番組提示にかかる時間をより短縮でき、内蔵するチューナ数がばらつくことによる番組特定情報の取得能力のばらつきをなくしたシステムを構築することが可能である。
【図面の簡単な説明】
【００３８】
【図１】本発明の第１の実施形態に係るデジタル放送受信装置を主に示すブロック図
【図２】本発明の第１の実施形態に係る受信処理の動作を示す図
【図３】本発明の第１の実施形態に係る受信処理の動作を示すフローチャート
【図４】本発明の第１の実施形態に係る受信処理の動作を示すフローチャート
【図５】本発明の第２の実施形態に係るデジタル放送受信装置をネットワークで使用する形態を示すブロック図
【図６】ＰＡＴ、ＰＭＴ及びＥＳの関連を示す図
【図７】デジタル放送の電子番組表データ構造
【符号の説明】
【００３９】
１  受信アンテナ
２、６０、６１、６２、６３、６４  チューナ部
３  復調部
４  多重分離部
５  復号部
６  出力部
７  番組表管理部
８  番組表保存部
９  入力部
１０  制御部
１１  送受信部
１２  番組特定情報管理部
１３  番組特定情報保存部
５０、５１、５２、５３、５４、１００、１０１，１０２  デジタル放送受信装置
７０  ネットワーク
【図１】
2008187353.tif 000003
【図２】
2008187353.tif 000004
【図３】
2008187353.tif 000005
【図４】
2008187353.tif 000006
【図５】
2008187353.tif 000007
【図６】
2008187353.tif 000008
【図７】
2008187353.tif 000009